(57)【特許請求の範囲】
【請求項１】
天板下の足入れ空間内であって、両脚部の後部間に設けた幕板の前面側に棚板を着脱可能に取付けてなる棚付き机において、前記幕板の上下縁にそれぞれ上係止縁と下係止縁を前側へ折曲形成し、該幕板の両側端部においてそれぞれ上係止縁と下係止縁に、上下方向へ一定間隔毎に複数の係止孔を形成した支持杆の上下端部を着脱可能に係止し、両支持杆の係止孔に棚板支持用のブラケットの後端部に形成したフックを嵌合係止するとともに、該ブラケットの外側面を前記幕板の両側端に形成した側縁補強部に当止した状態で、両ブラケットに棚板の両側部を載支し、前記支持杆の左右方向の動きを規制してなることを特徴とする棚付き机。
【請求項２】
前記幕板は、上縁に上板を前側へ折曲し且つ該上板の前縁から上係止片を下方へ折曲して断面略Ｌ字形の上係止縁を形成するとともに、下縁に下板を前側へ折曲し且つ該下板の前縁から下係止片を上方へ折曲して断面略Ｌ字形の下係止縁を形成し、更に両側端に前側へ側縁補強部を折曲形成したものであり、該幕板の両側縁補強部をそれぞれ前記脚部の後部に連結し、前記支持杆は上下方向に長尺の杆体でその前面に上下方向へ一定間隔毎に複数の係止孔を形成したものである請求項１記載の棚付き机。
【発明の詳細な説明】
【０００１】
【発明の属する技術分野】
本発明は、棚付き机に係わり、更に詳しくは天板下方の足入れ空間に棚板を備えた棚付き机に関するものである。
【０００２】
【従来の技術】
従来、机の天板下の足入れ空間内に棚板を設けてなる棚付き机は、既に提供されている。例えば、学童用の学習机等には両脚板間の奥部に収納棚を構成したり、あるいは本立てを着脱可能に取付けたものも存在する。
【０００３】
また、実公平５−２１号公報には、机の左右両脚の間に正面形が方形枠状の前枠を着脱可能に取付けるとともに、机の後部において左右両脚の間に幕板の左右両端より前向連設した側板を着脱可能に設け、前記前枠の左右対向面と両側板の対向面に形成した多数の係止孔を利用して支持金具を装着し、該支持金具にて棚板を支持した構造のものが提供されている。
【０００４】
しかし、棚板を装着する場合、あるいはその高さを変更する場合には、天板下の奥部の狭い空間内で４個の支持金具を所定の高さに合わせて係止孔に挿入する必要があり、その作業に困難を伴うばかりでなく、前枠を必要とするので部品点数の増加を招き、コスト高となる傾向にある。更に、前枠は正面形が方形の枠体であるので、棚板の下方に横枠が存在し、それがつま先に当たるため、足入れ空間を大きく狭めることになって好ましくない。
【０００５】
【発明が解決しようとする課題】
本発明が前述の状況に鑑み、解決しようとするところは、机の天板下の足入れ空間内に、必要最小限の部品点数で棚板を装着することができるとともに、全ての部品を組立式とし、且つその組立作業が極めて簡単であり、既存の机に僅かな設計変更を加えるだけで済む棚付き机を提供する点にある。
【０００６】
【課題を解決するための手段】
本発明は、前述の課題解決のために、天板下の足入れ空間内であって、両脚部の後部間に設けた幕板の前面側に棚板を着脱可能に取付けてなる棚付き机において、前記幕板の上下縁にそれぞれ上係止縁と下係止縁を前側へ折曲形成し、該幕板の両側端部においてそれぞれ上係止縁と下係止縁に、上下方向へ一定間隔毎に複数の係止孔を形成した支持杆の上下端部を着脱可能に係止し、両支持杆の係止孔に棚板支持用のブラケットの後端部に形成したフックを嵌合係止するとともに、該ブラケットの外側面を前記幕板の両側端に形成した側縁補強部に当止した状態で、両ブラケットに棚板の両側部を載支し、前記支持杆の左右方向の動きを規制してなる棚付き机を構成した。
【０００７】
具体的には、前記幕板は、上縁に上板を前側へ折曲し且つ該上板の前縁から上係止片を下方へ折曲して断面略Ｌ字形の上係止縁を形成するとともに、下縁に下板を前側へ折曲し且つ該下板の前縁から下係止片を上方へ折曲して断面略Ｌ字形の下係止縁を形成し、更に両側端に前側へ側縁補強部を折曲形成したものであり、該幕板の両側縁補強部をそれぞれ前記脚部の後部に連結し、前記支持杆は上下方向に長尺の杆体でその前面に上下方向へ一定間隔毎に複数の係止孔を形成したものであることが好ましい。
【０００８】
【発明の実施の形態】
次に本発明の実施の形態を添付図面に基づき更に詳細に説明する。図１は本発明に係る棚付き机の全体斜視図、図２〜図５はその要部を示し、図中符号１は机、２は天板、３は脚部、４は幕板、５は棚板をそれぞれ示している。
【０００９】
本発明に係る棚付き机は、図１に示すように、天板２下の足入れ空間内であって、両脚部３，３の後端部間に設けた幕板４の前面側に棚板５を着脱可能に取付けたものである。ここで、本実施形態において、前記棚板５を装着する机１は、通常の構造のスチール製机であり、天板２の左右両側端部を脚部３，３で支持するとともに、両脚部３，３の後端間に正面視四角形の幕板４を連結して剛性を持たせた構造となっている。
【００１０】
本発明において、前記棚板５を装着するために、既存の机１に加える設計変更は前記幕板４のみで良い。そして、必要な部品は、前記幕板４の前側両側部に着脱可能に取付ける支持杆６，６と、該支持杆６に着脱可能に取付ける棚板支持用のブラケット７のみである。
【００１１】
前記幕板４は、図２及び図３に示すように、上縁に上板８ａを前側へ折曲し且つ該上板８ａの前縁から上係止片８ｂを下方へ折曲して断面略Ｌ字形の上係止縁８を形成するとともに、下縁に下板９ａを前側へ折曲し且つ該下板９ａの前縁から下係止片９ｂを上方へ折曲して断面略Ｌ字形の下係止縁９を形成し、更に両側端に前側へ側縁補強部１０，１０を折曲形成したものである。ここで、前記上係止縁８を構成する上係止片８ｂの下縁に後側に向けて上折曲片８ｃを形成して補強することが好ましい。同様に、前記下係止縁９を構成する下係止片９ｂの上縁に後側に向けて下折曲片９ｃを形成して補強することが好ましい。この場合、前記上折曲片８ｃと下折曲片９ｃと、幕板４の表面板４ａとの間には後述の支持杆６の端部を嵌合するための隙間を設けている。そして、図４に示すように、前記幕板４の両側縁補強部１０，１０をそれぞれ前記脚部３，３の後部内面にネジ止め連結している。
【００１２】
前記支持杆６は、図２及び図３に示すように、上下方向に長尺の杆体でその前面に上下方向へ一定間隔毎に複数の係止孔１１，…を形成したものである。更に、詳しくは、断面略コ字形の杆体部１２の一側後端から側方へ当接板１３を折曲平成したものであり、前記杆体部１２の前面に前記係止孔１１，…を形成したものである。本発明では、前記支持杆６を左右一対用いるが、該支持杆６の形状を上下対称形にすることによって、同一形状の支持杆６，６を左右両側において上下反転させて用いれば、前記係止孔１１，…の高さを左右で一致させることができ、部品の種類を少なくすることができる。
【００１３】
前記ブラケット７は、図２及び図３に示すように、垂直な基板１４の後端に前記係止孔１１に嵌合係止するフック１５，…を上下に複数突設するとともに、基板１４の下縁に内向きに受板１６を折曲形成し、更に該受板１６の先端縁の前寄り中間部に突片１７を立ち上げ形成したものである。前記ブラケット７のフック１５，…は、前記基板１４の後端縁に該基板１４と同一平面となして延設しても良いが、本実施形態では基板１４の後端縁に内向きに折曲片１８を形成し、該折曲片１８の内縁から後方へ向けて前記フック１５，…を形成している。尚、本実施形態で使用したブラケット７は、特別な構造ではなく、他の棚装置で使用する既製のブラケットをそのまま転用したものである。
【００１４】
そして、前記幕板４の前側に前記棚板５を装着するには、先ず前記支持杆６，６を若干左右に倒し、前記幕板４の表面板４ａに当てた状態で、垂直姿勢に戻すことで、その上下端部をそれぞれ上係止縁８と下係止縁９の両側端部に係止する。この状態で、前記支持杆６の上下端部は、幕板４の表面板４ａと上係止縁８の上折曲片８ｃとの間、表面板４ａと下係止縁９の下折曲片９ｃとの間に保持された状態となる。ここで、前記支持杆６の杆体部１２の一部が、前記側縁補強部１０に進入しても良いが、前記係止孔１１，…は前方に露出させておく必要がある。次に、両支持杆６，６のそれぞれの所定高さの係止孔１１，…に、前記ブラケット７，７のフック１５，…を嵌合係止する。それから、両ブラケット７，７の受板１６，１６に前記棚板５の両側端部を載置しながら、前記ブラケット７の基板１４を対応する側の前記側縁補強部１０に当接させる。こうすることによって、前記支持杆６を幕板４に固定しなくても、前記棚板５の横方向の移動やガタツキを完全に規制することができる。
【００１５】
また、前記棚板５を両ブラケット７，７の受板１６，１６に載置した状態で、該棚板５の前後方向の移動を規制するための構造を図５に基づいて簡単に説明する。本実施形態で使用した前記棚板５は、他の棚装置で使用する既製の棚板をそのまま転用したものであるが、棚板５の両側縁には下方へ断面略コ字形に折曲した側縁部１９を有しており、該側縁部１９をブラケット７の受板１６に載置し且つ基板１４と突片１７の間に保持するとともに、棚板５の前縁に下方へ折曲形成した前縁部２０と棚板５の前後中間部下面に横方向に固定した補強部材２１との間に前記突片１７を嵌合して前後方向の移動を規制している。
【００１６】
このように、本発明において、前記棚板５とブラケット７，７は既製品を用いることもでき、その場合には前記幕板４の上下縁部の構造を若干設計変更しただけで、後は新規に一種類の支持杆６，６を用意するだけで、机１の天板２下の足入れ空間内の所定高さ位置に棚板５を設けることができるのである。尚、前記棚板５、ブラケット７，７及び支持杆６，６を外してしまえば、外観上は従来の机となんら変わらないものとなる。また、前記ブラケット７として、基板１４に対して同一平面上にフック１５，…を形成したものを用いた場合には、前記支持杆６を前記側縁補強部１０の内部に当接するまで押し込み、前記係止孔１１，…が該側縁補強部１０の内縁に沿って露出するように設定すれば、同様に使用することができる。これは、前記支持杆６を幕板４に固定していないために可能となるのである。
【００１７】
次に、本発明の他の実施形態を図６に基づき説明する。本実施形態は、前記ブラケット７，７を直接幕板４の両側部に嵌合係止する構造である。つまり、前記幕板４の両側縁補強部１０，１０の前面に、上下方向に一定間隔毎に係止孔２２，…を形成し、該係止孔２２，…に前記同様なブラケット７のフック１５，…を嵌合係止し、両ブラケット７，７の受板１６，１６に棚板５の両側端部を載置するものである。この場合、前記ブラケット７，７の基板１４，１４をそれぞれ脚部３，３の内面に当接して左右のガタツキを防止するようにしても良い。
【００１８】
また、本実施形態では、図１に示すように、前記机１の背面側で天板２よりも上方側に棚を設けている。具体的には、前記机１の両脚部３，３の後端部に連結部材２２，２２を介してそれぞれ支柱２３，２３を立設するとともに、両支柱２３，２３の上端間を横杆２４で連結してフレーム構成し、前記支柱２３の前面側に形成した係止孔２５，…を利用してブラケット２６を嵌合係止し、両ブラケット２６，２６で棚板２７の両側端部を支持した構造となっている。
【００１９】
ここで、前記脚部３の後端は、前記天板２の後端よりも前方位置に設定されたタイプの机１を用いたため、前記連結部材２２を介して支柱２３を立設するようにしているが、脚部３の後端と天板２の後端が一致するタイプの机であれば、前記支柱２３を直接脚部３の後端に取付けても良い。
【００２０】
前記連結部材２２は、図７に示すように、前記脚部３の後端と天板２の後端の間の隙間を埋める化粧板２７の前縁に、脚部３の後端面にネジ止めするための固定板２８を直角に形成するとともに、化粧板２７の後縁に前記支柱２３の前面と内側面とに接合し、ネジ止めするための断面略Ｌ字形の取付部２９を折曲形成したものである。前記連結部材２２を介して脚部３に支柱２３を連結した状態では、脚部の外面、化粧板２７及び支柱２３の外側面とが面一になるように設定している。
【００２１】
前記両支柱２３，２３の所定高さにブラケット２６，２６を取付け、該ブラケット２６，２６で棚板２７を載支する構造は、公知の構造を採用している。また、最下段の棚板２７の下面に灯具３０を取付けている。
【００２２】
【発明の効果】
以上にしてなる請求項１に係る発明の棚付き机は、天板下の足入れ空間内であって、両脚部の後部間に設けた幕板の前面側に棚板を着脱可能に取付けてなる棚付き机において、前記幕板の上下縁にそれぞれ上係止縁と下係止縁を前側へ折曲形成し、該幕板の両側端部においてそれぞれ上係止縁と下係止縁に、上下方向へ一定間隔毎に複数の係止孔を形成した支持杆の上下端部を着脱可能に係止し、両支持杆の係止孔に棚板支持用のブラケットの後端部に形成したフックを嵌合係止するとともに、該ブラケットの外側面を前記幕板の両側端に形成した側縁補強部に当止した状態で、両ブラケットに棚板の両側部を載支し、前記支持杆の左右方向の動きを規制してなるので、机の天板下の足入れ空間内に、必要最小限の部品点数で棚板を装着することができ、脚部を利用しないので、既存の机に僅かな設計変更を加えるだけで済み、またつま先に相当する部分になんら障害物がないので実効的な足入れ空間を狭めることがないのである。また、支持杆を幕板に着脱可能としているので、幕板以外の机の構造に何ら変更を加えなくて済み、天板下に棚板を装着するときに支持杆をオプションとして後付けで取付けることができ、コスト上昇を最小限に抑制することができる。そして、全ての部品を組立式とし、且つその組立作業が極めて簡単であるので、足入れ空間の奥部の狭い空間でも短時間で棚板を装着することができ、棚板を装着した状態では支持杆を幕板に固定していないにも係らず、該棚板の横方向の移動やガタツキを完全に規制することができる。
【００２３】
請求項２によれば、構造が簡単で部品点数も少なく、足入れ空間内に簡単に装着することができ、また装着しない場合にはなんら従来の机と外観上の差異はなく、最小限のコスト上昇で構成できる。
【図面の簡単な説明】
【図１】  本発明に係る棚付き机の全体斜視図である。
【図２】  本発明の要部の分解斜視図である。
【図３】  同じく組立てた状態の部分斜視図である。
【図４】  同じく部分横断面図である。
【図５】  ブラケットで棚板を載支した状態を示し、（ａ）は部分縦断側面図、（ｂ）は部分縦断正面図である。
【図６】  本発明の他の実施形態を示す部分斜視図である。
【図７】  机の背後に棚を設けるための支柱の取付構造を示す部分斜視図である。
【符号の説明】
１  机              ２  天板
３  脚部            ４  幕板
４ａ  表面板        ５  棚板
６  支持杆          ７  ブラケット
８  上係止縁        ８ａ  上板
８ｂ  上係止片      ８ｃ  上折曲片
９  下係止縁        ９ａ  下板
９ｂ  下係止片      ９ｃ  下折曲片
１０  側縁補強部    １１  係止孔
１２  杆体部        １３  当接板
１４  基板          １５  フック
１６  受板          １７  突片
１８  折曲片        １９  側縁部
２０  前縁部        ２１  補強部材
２２  係止孔        ２３  連結部材
２４  支柱          ２５  横杆
２６  係止孔        ２７  ブラケット
２８  棚板          ２９  化粧板
３０  固定板        ３１  取付部
３２  灯具
【図１】
0003837616.tif 000002
【図２】
0003837616.tif 000003
【図３】
0003837616.tif 000004
【図４】
0003837616.tif 000005
【図５】
0003837616.tif 000006
【図６】
0003837616.tif 000007
【図７】
0003837616.tif 000008